(57)【特許請求の範囲】
【請求項１】
長尺の構造材に設けられた溝部の所定の位置にナットを保持し、この構造材に他の部材を固定させる構造材固定装置において、合成樹脂製の板状体の中央部に上記ナットの雌ねじに対応した透孔が形成されたナットホルダを設け、このナットホルダの対向する一対の端縁部には上記板状体面に対して直角に突出した係合凸部が設けられ、この一対の係合凸部の長辺方向の互いに対向する２側縁部には、側方に突出した一対の弾性変形部が設けられ、この一対の弾性変形部の端縁部間の幅は、上記溝部の幅よりわずかに広く形成され、このナットホルダの上記係合凸部の間にナットを保持し、上記構造材の溝部に挿入した際、上記溝部の互いに対向する内側面に上記一対の弾性変形部が当接して弾性変形し、その弾発力により上記溝部内で上記ナットを保持し、上記透孔の周縁部の４ケ所に切り込みが形成され、上記透孔の周縁部は上記ナットが螺合するボルトのねじ溝に嵌合可能に設けられていることを特徴とする構造材固定装置。
【請求項２】
上記ナットホルダは適度な弾力性を有する合成樹脂で形成され、上記弾性変形部の各端縁は、上記構造材の溝部の内面に各々線接触して上記ナットを保持することを特徴とする請求項１記載の構造材固定装置。
【発明の詳細な説明】
【０００１】
【発明の属する技術分野】
この発明は、長尺の構造材に設けられた溝部にナットを挿入して、他の部材を接続する際に用いる構造材固定装置に関する。
【０００２】
【従来の技術】
従来、所定の規格で形成された構造材を任意に組み合わせて機械や構造物の骨組みを作るには、構造物の中央部に設けられたＴ溝にナットを取り付け、このナットを利用して他の部材をボルトにより構造材に固定していた。そして、Ｔ溝内に挿入されたナットを所定位置で保持する構造材固定装置は、例えば本願出願人による実公平６−３９１３７号公報に開示されているものがある。
【０００３】
この構造材固定装置は、合成樹脂製で板状体の中央部にナットの雌ねじに対応した透孔が形成されたナットホルダからなり、このナットホルダの対向する一対の端縁部に係合凸部が設けられ、この係合凸部とほぼ直交する側縁同士の幅がＴ溝の幅よりわずかに広く形成されている。これにより、ナットホルダの板状部分の両側縁が弾性変形部として構造材のＴ溝の内面に圧接してナットを保持する。
【０００４】
このナットホルダの使用方法は、このナットホルダの係合凸部の間にナットを挿入し、ナットとナットホルダを一体にして、そのナットホルダの側縁部をＴ溝の内側面に圧接させ、ナットを所定の位置に保持する。
【０００５】
【発明が解決しようとする課題】
上記従来の技術の場合、ナットホルダの係合凸部の間にある平面状の側縁部の、湾曲した頂点部分の互いに対向する２点がＴ溝の内側面に当接し、わずかに圧縮させられ弾発力によりナットを保持しているため、ナットホルダの弾性変形量が少なく十分な保持力が得られないという問題があった。しかも、Ｔ溝内での接触状態はほぼ点接触であり、接触面積が小さいので、Ｔ溝内でのナットホルダの摺動による摩耗により、ナットホルダの側縁部の上記圧縮による弾性変形量が減少し、さらに弾発力が減少してしまう場合があった。さらに、寸法誤差によって、十分な弾性変形量が得られない場合、ナットをＴ溝内に保持できない場合もあった。
【０００６】
この発明は、上記従来の技術の問題点に鑑みてなされたもので、ナットホルダの適度な弾発力によりナットを確実にＴ溝内に保持し、またＴ溝内の摺動も容易で耐久性も高い構造材固定装置を提供することを目的とする。
【０００７】
【課題を解決するための手段】
この発明は、アルミニウム押し出し形材等の長尺の構造材に設けられたＴ溝等の溝部の所定位置にナットを保持し、この構造材に他の部材を固定させる構造材固定装置であって、合成樹脂製の板状体の中央部に上記ナットの雌ねじに対応した透孔が形成されたナットホルダを設け、このナットホルダの対向する一対の端縁部には上記板状体面に対して直角に突出した係合凸部が設けられ、この一対の係合凸部の長辺方向の互いに対向する２側縁部には側方に突出した一対の弾性変形部が設けられている構造材固定装置である。この一対の弾性変形部の端縁部間の幅は、上記溝部の幅よりわずかに広く形成され、このナットホルダの上記係合凸部の間にナットを保持し、上記構造材の溝部に挿入した際、上記溝部の互いに対向する内側面に上記一対の弾性変形部が当接して弾性変形し、その弾発力により上記溝部内で上記ナットを保持するものである。さらに、上記透孔の周縁部の４ケ所に切り込みが形成され、上記透孔の周縁部は上記ナットが螺合するボルトのねじ溝に嵌合可能に設けられている。
【０００８】
また、上記ナットホルダは、適度な弾力性を有する合成樹脂で成形され、上記ナットホルダの弾性変形部は、一対の上記係合凸部の長辺方向に延びた羽状に形成され、上記弾性変形部の一対の各端縁は、上記構造材の溝部の内側に各々線接触して上記ナットを保持するものである。
【０００９】
この発明の構造材固定装置は、ナットホルダの係合凸部間に予めナットを挿入して、そのナットホルダの弾性変形部が構造材の溝部内で線接触状態で押圧されて弾性的にたわみ、その弾発力で溝部内に保持される。そして、このナットホルダとともにナットを溝部内の所定位置に摺動させて保持し、他の部材をボルトにより構造材に連結する。
【００１０】
【発明の実施の形態】
以下、この発明の実施の形態について、図面に基づいて説明する。１図〜５図は、この発明の第一実施形態の構造材固定装置であるナットホルダ１とナット５を示すものである。ナット５は、正四角形の金属製で、ナット５の幅はナットが挿入されるアルミニウム押出形材等の長尺の構造材１４の溝部であるＴ溝１６内の、中空部１８の内側面の幅よりもわずかに小さい。
【００１１】
ナットホルダ１は、ポリアセタール等の合成樹脂をコ字状に成形したもので、中央部に透孔２が形成されており、対向する一対の辺には、係合凸部３ａ，３ｂが設けられている。さらに、透孔２の周縁部には、４ケ所に切り込み６が形成され、透孔２の周縁部２ａは図５に示すように斜面状に形成され、ボルトのねじ溝に嵌合可能に設けられている。
【００１２】
この係合凸部３ａ，３ｂは、このナットホルダ１の両端縁部が透孔２が形成された面に対して直角に突出した状態に形成されている。また、ナットホルダ１の係合凸部３ａ，３ｂと直交する辺３ｃ，３ｄは、外側にわずかに膨らんだ形状に形成され、辺３ｃ、３ｄの端縁部も斜面状に形成されている。
【００１３】
また、一対の係合凸部３ａ，３ｂの長辺方向の互いに対向する２側縁部には、羽状に形成された弾性変形部４ａ，４ｂが設けられている。弾性変形部４ａ，４ｂの先端縁間の幅は、構造材１４の中空部１８の幅よりわずかに広く形成されている。さらに、弾性変形部４ａ，４ｂの厚みは、小さい力で容易に弾性変形するようにほぼ均一に薄く形成されている。
【００１４】
次にこのナットホルダ１とナット５の使用方法を図１に基づいて説明する。この実施形態のナットホルダ１は、ナット５を係合凸部３ａ，３ｂの間に挟み、構造材１４のＴ溝１６の中空部１８に挿入する。このときナットホルダ１の弾性変形部４ａ，４ｂは、中空部１８の内側面の幅よりわずかに広く形成されているため、挿入により中空部１８の内側面に押圧されて内側に弾性変形してたわみ、このたわみによる弾発力により摩擦力が生じ、ナットホルダ１とナット５はＴ溝１６内の任意の位置で保持される。この状態では、ナットホルダ１の弾性変形部４ａ，４ｂは、Ｔ溝１６の内側面にその幅方向に線接触し、十分な接触面積で接触する。
【００１５】
この実施形態の構造材固定装置によれば、ナットホルダ１のたわみによる弾性力によりナット５を簡単に確実にＴ溝１６の所定の位置に止めておくことができる。またナットホルダ１の弾性変形部４ａ，４ｂはたわみ易い形状で、比較的小さい力で大きく変形し、しかも適度な弾発力が容易に得られ、Ｔ溝１６内壁面に線接触する。このためＴ溝１６内での摺動を繰り返しても、弾性変形部４ａ，４ｂの端縁部が摩耗しにくく、弾性変形量が減少し弾発力がなくなることがなく、安定してナット５を保持することが可能であり、摺動性も良好である。そしてナットホルダ１は容易に元の形に復元するため、繰り返し使用することが可能である。
【００１６】
次にこの発明の第二実施形態について、図６〜図８に基づいて説明する。ここで、上述の実施形態と同様の部材は、同一の符号を付して説明を省略する。この実施形態の構造材固定装置は、ナットホルダ１を長ナット１０の保持に用いたものである。長ナット１０には、２箇所にねじ孔１１が切られ、そのねじ孔１１の間に溝状に一対の凹部１２が並行に設けられている。そして、図７に示すように、凹部１２にナットホルダ１の係合凸部３ａ，３ｂを嵌め込んで、長ナット１０を構造材１４のＴ溝１６の中空部１８に挿入する。Ｔ溝１６の中空部１８の内側面では、第一実施形態と同様に、弾性変形部４ａ，４ｂが中空部１８の内面に押し込まれ内壁を押圧し、その摩擦力で長ナット１０を任意の位置に保持する。
【００１７】
この実施形態によれば、長ナット１０を簡単にナットホルダ１によってＴ溝１６の所定の位置に止めておくことができる。しかも長ナット１０は、構造材１４に加わる力を分散し、固定のための圧力を小さくするので強度の高い連結が可能となる。
【００１８】
なお、この発明のナットホルダは、ナットやナットホルダの形状を適宜変形することができるものであり、ナットホルダの弾性変形部の形状は、その機能を有していれば良い。
【００１９】
【発明の効果】
この発明の構造材固定装置は、ナットホルダがたわみやすい形状に形成され、小さい力で大きい弾性変形量を得ることができる。このため、ナットは適度な弾発力で構造材の溝部内に係止され、ナットの摺動性が良好であり、また繰り返しの使用によっても保持力は落ちず、ナットを安定して確実に保持することができる。
【図面の簡単な説明】
【図１】この発明の第一実施形態の構造材固定装置の斜視図である。
【図２】この実施形態のナットホルダの平面図である。
【図３】この実施形態のナットホルダの右側面図である。
【図４】この実施形態のナットホルダの正面図である。
【図５】この実施形態のナットホルダの透孔の部分拡大断面図である。
【図６】この発明の第二実施形態の長ナットの平面図である。
【図７】この第二実施形態の長ナットの正面図である。
【図８】この第二実施形態の構造材固定装置の斜視図である。
【符号の説明】
１          ナットホルダ
３ａ，３ｂ  係合凸部
４ａ，４ｂ  弾性変形部
５          ナット
１０        長ナット
１２        凹部
１４        構造材
１６        Ｔ溝
【図１】
0003602733.tif 000002
【図２】
0003602733.tif 000003
【図３】
0003602733.tif 000004
【図４】
0003602733.tif 000005
【図５】
0003602733.tif 000006
【図６】
0003602733.tif 000007
【図７】
0003602733.tif 000008
【図８】
0003602733.tif 000009